(57)【特許請求の範囲】
【請求項１】
一端が焼却部に接続する排気管、前記排気管と接続する接続管、前記接続管に取り付けられている送風管を有するブロワ−、前記接続管に取り付けられている送気管からなる螺旋管と、排気する煙突、内部には、底面中心から直立する円筒管を有し、かつ給水管から送水された水を貯留し、前記送気管の先端に取り付けられたノズルが前記水にセットされた筒体とからなり、前記排気管の一部は前記筒体の内部を挿通し、前記焼却部から排出される排煙と前記ブロワ−により発生される風を同時に前記送気管の先端のノズルから前記水中に噴射し、排煙中の灰塵を前記筒体の下部に設けられている沈殿部に沈殿物として沈澱させ、消煙、消臭し、大気中に排気することを特徴とする簡易集塵器。
【請求項２】
前記沈殿部が、多数の仕切りで仕切られた多数の沈殿室、円筒管が挿入可能なような切欠部を有する沈澱槽と、円筒管が入り込む間隙が形成された前記沈澱槽を収納する収納部、筒体の取出部に出し入れ可能に取り付けられた出し入れ部からなり、前記出し入れ部の外部は、前記取出部の開口縁でパッキンを挟み突出していることを特徴とする請求項１記載の簡易集塵器。
【請求項３】
前記筒体上部及び前記排気管の焼却部に連結する部分を断熱材により被覆したことを特徴とする請求項１又は請求項２に記載の簡易集塵器。
【請求項４】
前記排気管の焼却部に接続する部分及び前記筒体内に挿通している部分を断熱材により被覆したことを特徴とする請求項１又は請求項２に記載の簡易集塵器。
【請求項５】
前記筒体が、円筒形又は横断面図形状が四角形であることを特徴とする請求項１乃至請求項４の何れかに記載の簡易集塵器。
【請求項６】
分岐した２本の送風管から、筒体内に貯留されている水を回転させるよう排煙を噴射することを特徴とする請求項１乃至請求項５の何れかに記載の簡易集塵器。
【請求項７】
筒体を挿通した後の排気管部と、ノズルが取り付けられる部分の送風管の先端とからなる部分を筒体の外周面を螺旋状又直線状の管とした螺旋管であることを特徴とする請求項１乃至請求項６の何れかに記載の簡易集塵器。
【請求項８】
請求項１乃至請求項７の何れかに記載の簡易集塵器と、前記簡易集塵器に連結する焼却部とからなる簡易集塵器付焼却炉。
【請求項９】
焼却部を負圧状態とすることを特徴とする請求項８に記載の簡易集塵器付焼却炉。
【請求項１０】
前記水に、粒状、粉末状の中和剤、触媒、吸着剤、消臭剤、溶解剤等を混ぜて合わせたことを特徴とする請求項１乃至請求項７の何れかに記載の簡易集塵器。
【請求項１１】
前記水に、粒状、粉末状の中和剤、触媒、吸着剤、消臭剤、溶解剤等を混ぜて合わせたことを特徴とする請求項８又は請求項９に記載の簡易集塵器付焼却炉。
【発明の詳細な説明】
【０００１】
【産業上の利用分野】
本発明は、焼却炉内に取り付けられて、被焼却物を焼却した際に排出する煙り中の灰塵の除去と消煙、消臭を行う集塵機の改良に関する発明、及び前記集塵機を取り付けた焼却炉の改良に関する発明である。
【０００２】
【従来の技術】
従来、焼却炉から出る排煙中の灰塵の除去、消煙、消臭等のために、バ−ナ−を使用し、二次的に加熱焼却することにより排煙中の灰塵の除去、消煙、消臭等を行なっている。
【０００３】
【発明が解決しようとする課題】
しかしながら、このように、バ−ナ−を使用して二次的に加熱焼却することにより排煙中の灰塵の除去、消煙、消臭等を行なっていたのでは、集塵機のためのランニングコストが掛かり過ぎるとの欠点があるとともに、メンテナンスも極め高額となる欠点がある。
【０００４】
そこで、本発明は、ランニングコストが極めて低く、なおかつメンテナンスが極めて簡単な簡易集塵器、及び前記集塵器を取り付けた焼却炉を提供することを目的とするものである。
【０００５】
【課題を解決するための手段】
本発明は、一端が焼却部１０に接続する排気管９、前記排気管９と接続する接続管９ａ、前記接続管９ａに取り付けられている送風管１５ａを有するブロワ−１５、前記接続管９ａに取り付けられている送気管５からなる螺旋管１１ａと、排気する煙突２、内部には、底面中心から直立する円筒管７ａを有し、かつ給水管４から送水された水８を貯留し、前記送気管５の先端に取り付けられたノズル５ａが前記水８にセットされた筒体７とからなり、前記排気管９の一部は前記筒体７の内部を挿通し、前記焼却部１０から排出される排煙と前記ブロワ−１５により発生される風を同時に前記送気管５の先端のノズル５ａから前記水８中に噴射し、排煙中の灰塵を前記筒体７の下部に設けられている沈殿部１３に沈殿物１３ｅとして沈澱させ、消煙、消臭し、大気中に排気することを特徴とする簡易集塵器３の構成、前記沈殿部１３が、多数の仕切り１３ｄで仕切られた多数の沈殿室１３ｃ、円筒管７ａが挿入可能なような切欠部１３ｇを有する沈澱槽１３ａと、円筒管７ａが入り込む間隙１３ｉが形成された前記沈澱槽１３ａを収納する収納部１３ｈ、筒体７の取出部６に出し入れ可能に取り付けられた出し入れ部１３ｂからなり、前記出し入れ部１３ｂの外部は、前記取出部６の開口縁６ａでパッキン１３ｆを挟み突出していることを特徴とする前記簡易集塵器３の構成、前記筒体７上部及び前記排気管９の焼却部１０に連結する部分を断熱材１７、１６により被覆したことを特徴とする前記何れかの簡易集塵器３の構成、前記排気管９の焼却部１０に接続する部分及び前記筒体７内に挿通している部分を断熱材１６、１６ａにより被覆したことを特徴とする前記何れかの簡易集塵器３の構成、前記筒体７が、円筒形又は横断面図形状が四角形であることを特徴とする前記何れかの簡易集塵器３の構成、分岐した２本の送風管５、５から、筒体７内に貯留されている水８を回転させるよう排煙を噴射することを特徴とする前記何れかの簡易集塵器３の構成、筒体７を挿通した後の排気管９部分と、ノズル５ａが取り付けられる部分の送風管５の先端とからなる部分を筒体７の外周面を螺旋状又直線状の管とした螺旋管１１ａであることを特徴とする前記何れかの簡易集塵器３の構成、前記何れかの簡易集塵器３と、前記簡易集塵器３に連結する焼却部１０とからなる簡易集塵器付焼却炉１、１ａ、１ｂ、・・・の構成、
焼却部１０を負圧状態とすることを特徴とする前記簡易集塵器付焼却炉１、１ａ、１ｂ、・・・の構成、前記水８に、粒状、粉末状の中和剤、触媒、吸着剤、消臭剤、溶解剤等を混ぜて合わせたことを特徴とする前記何れかの簡易集塵器３の構成、及び前記水８に、粒状、粉末状の中和剤、触媒、吸着剤、消臭剤、溶解剤等を混ぜて合わせたことを特徴とする前記何れかに記載の簡易集塵器付焼却炉１、１ａ、１ｂ、・・・の構成とした。
【０００６】
【実施例】
図１は、本発明である簡易集塵器を取り付けた焼却炉の側面縦断面図である。本発明である簡易集塵器付焼却炉１は、焼却部１０と集塵部１１からなり、焼却部１０内には、乾燥室１０ａと、前記乾燥室１０ａの下方に設置された燃焼室１２がある。前記燃焼室１２の下方には、振動機１４ａにより振動する火格子１４が設置されているとともに、前記火格子１４の下方には燃焼室１２で焼却されて出る灰を受け取るための灰受皿１８が設置されている。
【０００７】
図１中において、符号３は集塵器を示し、集塵器３は、送気管５と排気管９と接続管９ａからなる螺旋管１１ａと、上部には煙突２、中央部にはバルブ４ａを有する給水管４、下部には沈殿部１３、内部には円筒管７ａを有する筒体７と、送風管１５ａを有するブロワ−１５とから構成されている。
【０００８】
図２は、図１中のＡ−Ａ線に沿った縦断面図、図３は図１中のＢ−Ｂ線に沿った縦断面図、図４は図１中のＣ−Ｃ線に沿った横断面図、図５は図１中に示した螺旋管のみの平面図、図６は図１中に示した螺旋管のみ側面図である。
【０００９】
図２〜図４に示すように、螺旋管１１ａは、筒体７の外周面に配置されていて、排気管９の一部は筒体７の内部を貫通し、前記排気管９は送気管５に取り付けられている接続管９ａに接続されている。前記接続管９には、ブロワ−１５により発生される風を送気管５に送り込むための送風管１５ａが取り付けられていて、前記送風管１５ａの先端は、接続管９ａ内に挿入されている。
【００１０】
排気管９内に、乾燥室１０ａから排出される灰塵、煙り、蒸気等を含んだ排煙が送り込まれると、接続管９ａを介し排気管９に接続されている送気管５内に流入し、送気管５の先端のノズルから筒体７内に貯溜されている水８中に噴射される。
【００１１】
筒体７内に貯溜されている水８中に、灰塵、煙り、蒸気等を含んだ排煙を強制的に噴射させる方法は、ブロワ−１５により発生させた風を送風管１５ａより接続管９ａ内に送り込み、同時に排気管９内の前記排煙とともに送気管５に送り込むのである。
【００１２】
図７は、図１中の集塵器を構成する筒体内に貯溜されている水中に排気管の先端が挿入している状態の一部横断面図である。螺旋管１１ａを構成する送気管５の先端には、ノズル５ａが取り付けられていて、ノズル５ａは筒体７内に貯溜されている水８中にセットされている。ノズル５ａからは、灰塵、煙り、蒸気等を含んだ排煙が噴射され、水８を矢印方向に回転させている。
【００１３】
図８は、図１中の集塵器を構成する筒体を貫通して排気管が挿通されている状態の一部横断面図である。このように、排気管９が、筒体７を貫通することにより、排気熱によって赤熱となっている排気管９の外周に排煙中に含まれている臭い、灰塵等をさらに除去することができる。
【００１４】
図９は、集塵器を構成する筒体内に、２本の送気管の先端のノズルが挿入されている状態の一部横断面図である。このように、２本の送気管５のノズル５ａが挿入されるようにするためには、接続管９ａより送気管５を分岐させる。このような構造にすることにより、排煙が効率的に水８中に噴射させることができる。
【００１５】
図１０は、送気管のノズルを集塵器の四角形状の筒体内に設置した状態を示した一部横断面図である。このように、横断面図形状が四角形の筒体７に送気管５のノズル５ａを挿入し設置することにより、ノズル５ａから噴出される排煙が筒体７の内壁面に当たり、効率的に水８を筒体７内を回転させることができる。
【００１６】
図１１は、２本の送気管のノズルを集塵器の四角形状の筒体内に設置した状態を示した一部横断面図である。このように、横断面図形状が四角形の筒体７に２本の送気管５、５のノズル５ａ、５ａを挿入し設置することにより、ノズル５ａ、５ａから噴出される排煙が筒体７の内壁面に当たり、効率的に水８を筒体７内で回転させることができる。
【００１７】
図１２は、筒体の下部に設けられている沈澱部の一部拡大縦断面図、図１３は図１に示す集塵器の沈澱部の一部拡大縦断面図、図１４は図１３のＦ−Ｆ線に沿った横断平面図、図１４ａは沈澱槽の平面図、図１４ｂは沈澱槽の側面図、図１４ｃは図１３中のＦ−Ｆ線に沿った横断面の斜視図である。
【００１８】
図１４及び図１４ｃに示すように、筒体７に取出部６が形成されていて、この取出部６には、出し入れ部１３ｂが出し入れ可能に取り付けられている。
前記出し入れ部１３ｂには沈澱槽１３ａが収納できる収納部１３ｈが形成されているとともに、円筒管７ａが入り込むように間隙１３ｉが形成されている。そして、取出部６の開口縁６ａ、６ａにはパッキン１３ｆが取り付けられている。このパッキン１３ｆは、筒体７内の水８が筒体７外に流出しないようにするためである。
【００１９】
沈澱槽１３ａは、図１４ａ及び図１４ｂに示すように、円筒管７ａが挿入可能なように切欠部１３ｇが形成されているとともに、沈澱槽１３ａ内には多数の仕切り１３ｄ、１３ｄ、１３ｄ、１３ｄ、１３ｄ・・・・・があり、仕切り１３ｄと仕切り１３ｄ間には沈澱室１３ｃ、１３ｃ、１３ｃ、１３ｃ、１３ｃ・・・・・が多数形成されている。この沈澱槽１３ａは、取出部６の収納部１３ｈに出し入れできる。
【００２０】
図１２及び図１３に示すように、筒体７内の水８に溶け込んでいる、煤煙、塵灰等が、徐々に固まり粒状となり重量を増し、沈澱槽１３ａ内の沈澱室１３ｃに沈澱し、沈澱物１３ｅとなり、塵灰等が煙突２より大気中に飛散することがなくなる。
【００２１】
図１５は、本発明である簡易集塵器付焼却炉の他の実施例の正面縦断面図、図１６は図１５中のＧ−Ｇ線に沿った縦断面図、図１７は図１５中のＨ−Ｈ線に沿った縦断面図、図１８は図１５に示したＩ−Ｉ線に沿った横断面図である。
【００２２】
本例の簡易集塵器付焼却炉１ａでは、螺旋管１１ａを構成する排気管９の大部分を断熱材１６、１７により被覆した構造の集塵器３としたものである。このような構造とすることにより、排気管９及び筒体７の断熱材１６、１７に蓄熱させ、全体の温度を高温に維持し、水８が高温となり煙突２から大気中に蒸発する蒸気をより少なくすることができる。即ち、排気管９が、焼却部１０から排出される排気ガスが高温なので赤熱し、水８が蒸発した蒸気が排気管９に触れてドライな蒸気となり大気中に放出される。
【００２３】
図１９は、本発明である簡易集塵器付焼却炉の他の実施例の縦断面図、図２０は図１９中のＪ−Ｊ線に沿った縦断面図、図２１は図１９のＫ−Ｋ線に沿った縦断面図、図２２は図１９のＬ−Ｌ線に沿った横断面図である。
【００２４】
本例の簡易集塵器付焼却炉１ｂでは、排気管９の一部を断熱材１６、１６ａに被覆した構造としたものである。即ち、排気管９の筒体７内に挿通している部分及び乾燥室１０ａに接続されている部分のみを断熱材１６、１６ａで被覆したものである。
【００２５】
このように、本発明である簡易集塵器付焼却炉１、１ａ、１ｂは、乾燥室１０ａから排出する排煙を螺旋管１１ａに吸引し、筒体７内に貯溜されている水８に噴射させて、筒体７内の水８を回転させて、排煙中に含まれている灰塵、消煙、消臭等を効率的に水８中に混入させ、水に吸着されると重くなり、沈澱部１３の沈澱槽１３ａ内に沈澱した後、取出部６から除去するのである。
【００２６】
本発明である簡易集塵器付焼却炉１、１ａ、１ｂでは、筒体７内の水８に粒状、粉末状の中和剤、触媒、吸着剤、消臭剤、溶解剤等を混ぜて合わせれば、より効果的に塵灰、悪臭、煙り等を除去することができる。
【００２７】
焼却部１０の燃焼室１２及び乾燥室１０ａを形成する外壁は、燃焼室１２及び乾燥室１０ａを効率的に冷却するためにキャスター構造であってもウオータジャケット構造としても良い。筒体７内では蓄熱効果、放熱効果を利用するので温度は上昇させるが、
集塵部内１１ｂ内は断熱材１７、１６、１６ａを取り付け温度が上昇しないようにすることがよい。
【００２８】
本発明で取り付けられている螺旋管１１ａは、必ずしも螺旋管でなく直線状の管としてもよい。螺旋管、直線状の管としても最短距離で設置することが望ましい。また、本発明では、排気ガス温度が５００〜６００℃の高温となる排気ガスを利用することにより消煙、消臭等が容易にできる。更に、筒体７内、乾燥室１０ａ、燃焼室１２等を、常時、負圧状態とすることによりの新鮮な空気を利用するするとともに、悪臭、煙り、塵灰等を大気中に排出することがない構造である。
【００２９】
【発明の効果】
本発明は、以上に説明したような構成であるから以下の効果が得られる。第１に、本発明である簡易集塵器３を取り付けた焼却炉１、１ａ、１ｂ・・・では、ランニングコストが極めて低い。第２に、メンテナンスが極めて容易であり、確実に灰塵を除去することができるとともに、消煙及び消臭も確実にすることができる。第３に、排気熱により筒体７内の水８が蒸発し、被焼却物が燃焼して燃焼終了後には沈澱槽１３ａの沈澱室１３ｃに沈澱した塵灰のみが残り、容易に取り出し処分することができる。
【図面の簡単な説明】
【図１】  本発明である簡易集塵機を取り付けた焼却炉の側面縦断面図である。
【図２】  図１中のＡ−Ａ線に沿った縦断面図である。
【図３】  図１中のＢ−Ｂ線に沿った縦断面図である。
【図４】  図１中のＣ−Ｃ線に沿った横断面図である。
【図５】  図１中に示した螺旋管のみの平面図である。
【図６】  図１中に示した螺旋管のみの側面図である。
【図７】  図１中の集塵器を構成する筒体内に貯溜されている水中に排気管の先端が挿通している状態の一部横断面図である。
【図８】  図１中の集塵器を構成する筒体を貫通して排気管が挿通されている状態の一部横断面図である。
【図９】  図１中の集塵器を構成する筒体内に、２本の排気管の先端が挿通している状態の一部横断面図である。
【図１０】  送気管のノズルを集塵器の四角形状の筒体内に設置した状態を示した一部横断面図である。
【図１１】  ２本の送気管のノズルを集塵器の四角形状の筒体内に設置した状態を示した一部横断面図である。
【図１２】  筒体の下部に設けられている集塵器の沈澱部の一部拡大縦断面図である。
【図１３】  図１に示す集塵器の沈澱部の一部拡大縦断面図である。
【図１４】  図１３のＦ−Ｆ線に沿った横断平面図である。
【図１４ａ】 沈澱槽の平面図である。
【図１４ｂ】 沈澱槽の側面図である。
【図１４ｃ】  図１３中のＦ−Ｆ線に沿った横断面の斜視図である。
【図１５】  本発明である簡易集塵器付焼却炉の他の実施例の正面縦断面図である。
【図１６】  図１５中のＧ−Ｇ線に沿った縦断面図である。
【図１７】  図１５中のＨ−Ｈ線に沿った縦断面図である。
【図１８】  図１５に示したＩ−Ｉ線に沿った横断面図である。
【図１９】  本発明である簡易集塵器付焼却炉の他の実施例の縦断面図である。
【図２０】  図１９中のＪ−Ｊ線に沿った縦断面図である。
【図２１】  図１９のＫ−Ｋ線に沿った縦断面図である。
【図２２】  図１９のＬ−Ｌ線に沿った横断面図である。
【符号の説明】
１、１ａ、１ｂ  焼却炉
２              煙突
３              集塵器
４              給水管
４ａ            バルブ
５              送気管
５ａ            ノズル
６              取出部
６ａ 開口縁
７              筒体
７ａ            円筒管
８              水
９              排気管
９ａ            接続管
９ｂ            接合鍔
１０            焼却部
１０ａ          乾燥室
１１            集塵部
１１ａ          螺旋管
１１ｂ          集塵部内
１２            燃焼室
１３            沈澱部
１３ａ          沈澱槽
１３ｂ          出し入れ部
１３ｃ          沈澱室
１３ｄ          仕切り
１３ｅ          沈澱物
１３ｆ          パッキン
１３ｇ          切欠部
１３ｈ          収納部
１３ｉ 間隙
１４            火格子
１４ａ          振動機
１５            ブロワ−
１５ａ          送風管
１６            断熱材
１６ａ          断熱材
１７            断熱材
１８            灰受皿
【図１】
0003932495.tif 000002
【図２】
0003932495.tif 000003
【図３】
0003932495.tif 000004
【図４】
0003932495.tif 000005
【図５】
0003932495.tif 000006
【図６】
0003932495.tif 000007
【図７】
0003932495.tif 000008
【図８】
0003932495.tif 000009
【図９】
0003932495.tif 000010
【図１０】
0003932495.tif 000011
【図１１】
0003932495.tif 000012
【図１２】
0003932495.tif 000013
【図１３】
0003932495.tif 000014
【図１４】
0003932495.tif 000015
【図１４ａ】
0003932495.tif 000016
【図１４ｂ】
0003932495.tif 000017
【図１４ｃ】
0003932495.tif 000018
【図１５】
0003932495.tif 000019
【図１６】
0003932495.tif 000020
【図１７】
0003932495.tif 000021
【図１８】
0003932495.tif 000022
【図１９】
0003932495.tif 000023
【図２０】
0003932495.tif 000024
【図２１】
0003932495.tif 000025
【図２２】
0003932495.tif 000026